(57)【要約】      （修正有）【課題】エッジライト式の照明装置において端側が一次光の色彩で色付く出射光の色ムラを抑制する。【解決手段】照明装置は、一次光を出射する光源１７と、一次光が入射される光入射面１９ｃと、入射された一次光を出射させる光出射面と、光出射面の反対側に配される反対面１９ｂと、反対面１９ｂに形成される複数のドット部２２の集まりからなり、反対面１９ｂの端部側に設けられかつ一次光を吸収して一次光が呈する基準色と補色の関係にある色を呈する複数の補色ドット部２２ａと、補色ドット部２２ａよりも中央側に配されかつ白色を呈する複数の白色ドット部２２ｂとを有する光反射・散乱パターン２２０とを有する導光板１９と、一次光によって励起されて二次光を放出する蛍光体を含有し、光出射面を覆いつつ一次光の一部を透過させて面光を出射する波長変換部材とを備える。【選択図】図４
2018174145.tif 000002
【特許請求の範囲】
【請求項１】
所定の波長領域に含まれる一次光を出射する光源と、
前記光源と対向しつつ前記光源からの前記一次光が入射される光入射面と、前記光入射面から入射された前記一次光を出射させる光出射面と、前記光出射面の反対側に配される反対面と、光反射性及び光散乱性を有すると共に面状に広がった状態で前記反対面に形成された光反射・散乱パターンとを有する導光板と、
前記一次光によって励起されて前記波長領域とは異なる他の波長領域に含まれる二次光を放出する蛍光体を含有し、前記光出射面を覆うように配され、前記一次光の一部を透過させて面光を出射する波長変換部材と、を備え、
前記光反射・散乱パターンは、前記反対面の端部側に設けられかつ着色剤として前記一次光が呈する基準色と補色の関係にある色を呈する補色着色剤を含む補色塗膜部を有する照明装置。
【請求項２】
前記光反射・散乱パターンは、前記補色塗膜部よりも中央側に配されかつ白色を呈する白色塗膜部を更に有する請求項１に記載の照明装置。
【請求項３】
前記光反射・散乱パターンは、前記導光板の前記反対面に形成される凹部からなり、
前記補色塗膜部は、前記凹部の内面に形成されている請求項１に記載の照明装置。
【請求項４】
前記補色塗膜部は、前記反対面の端側から中央側に向うにつれて、前記基準色と補色の関係にある色が、徐々に薄くなるように設定されている請求項１から請求項３の何れか一項に記載の照明装置。
【請求項５】
前記一次光は、青色光であり、
前記波長変換部材は、前記蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、前記補色塗膜部は、黄色を呈する黄色着色剤を含む請求項１から請求項４の何れか一項に記載の照明装置。
【請求項６】
請求項１から請求項５の何れか一項に記載の照明装置と、前記照明装置からの光を利用して画像を表示させる表示パネルとを備える表示装置。
【請求項７】
前記表示パネルは、液晶パネルからなる請求項６に記載の表示装置。
【請求項８】
請求項６又は請求項７に記載の表示装置を備えるテレビ受信装置。
【発明の詳細な説明】
【技術分野】
【０００１】
本発明は、照明装置、表示装置及びテレビ受信装置に関する。
【背景技術】
【０００２】
液晶表示装置は、液晶パネルと共に、液晶パネルに光を供給する照明装置（バックライト装置）を備えている。この種の照明装置としては、導光板の端面に沿う形でＬＥＤ（Light Emitting Diode）が配設される、所謂エッジライト型（又はサイドライト型）のものが知られている。このような照明装置は、液晶パネルの背面側に配され、液晶パネルの背面に向かって面状に広がった光を供給する。
【０００３】
また、近年、量子ドット蛍光体(Quantum Dot Phosphor)を含む蛍光体シートを、導光板を覆う光学部材として利用した照明装置が知られている（例えば、特許文献１）。この種の照明装置では、ＬＥＤから出射された一次光（例えば、青色光）が蛍光体シートに供給されると、その光の一部が、シート中の量子ドット蛍光体を励起し、残りの光がシート中を透過することになる。量子ドット蛍光体が一次光によって励起されると、その量子ドット蛍光体からは、一次光とは異なった波長の二次光（緑色光及び赤色光）が放出される。シートから放出された二次光は、フィルムを透過する一次光と互いに混ざり合うため、結果的に、蛍光体シートからは、白色光が出射される。
【０００４】
なお、この種の照明装置では、蛍光体シートに積層する形で、レンズシート、反射型偏光シート等の他の光学シートが設けられている。そのため、導光板の光出射面より出射された光は、前記光学シートに当たる等して複数回の再帰反射を繰り返した後、最終的に液晶パネルの背面に向かうことになる。つまり、導光板の光出射面より出射された光は、蛍光体シートに対して複数回供給されるため、蛍光体シート中の量子ドット蛍光体により、効率的に波長変換される。
【先行技術文献】
【特許文献】
【０００５】
【特許文献１】特表２０１３−５４４０１８号公報
【発明の概要】
【発明が解決しようとする課題】
【０００６】
上記照明装置において、光出射面の端側（周縁側）から出射される光は、中央側から出射される光と比べて、再帰反射の回数が少ない等の理由により、波長変換されずに一次光のままの状態の光が多く出射する。そのため、照明装置からは、端側（周縁側）が中央側よりも一次光の色彩（例えば、青色）で色付いた光が出射されることがあった。
【０００７】
本発明の目的は、蛍光体シートを光学部材として利用するエッジライト式の照明装置において、端側が中央側よりも光源の一次光の色彩で色付く出射光の色ムラを抑制する技術を提供することである。
【課題を解決するための手段】
【０００８】
本発明に係る照明装置は、所定の波長領域に含まれる一次光を出射する光源と、前記光源と対向しつつ前記光源からの前記一次光が入射される光入射面と、前記光入射面から入射された前記一次光を出射させる光出射面と、前記光出射面の反対側に配される反対面と、光反射性及び光散乱性を有すると共に面状に広がった状態で前記反対面に形成される複数のドット部の集まりからなり、複数の前記ドット部のうち、前記反対面の端部側に設けられかつ前記一次光を吸収して前記一次光が呈する基準色と補色の関係にある色を呈する複数の補色ドット部と、前記補色ドット部よりも中央側に配されかつ白色を呈する複数の白色ドット部とを有する光反射・散乱パターンとを有する導光板と、前記一次光によって励起されて前記波長領域とは異なる他の波長領域に含まれる二次光を放出する蛍光体を含有し、前記光出射面を覆うように配され、前記一次光の一部を透過させて面光を出射する波長変換部材と、を備える。
【０００９】
前記照明装置は、このような構成を備えることにより、端側が中央側よりも光源の一次光の色彩で色付く出射光（面光）の色ムラを抑制することができる。
【００１０】
前記照明装置において、前記光反射・散乱パターンは、前記反対面における単位面積当たりの密度が、前記光入射面から遠ざかるにつれて、徐々に高くなるように設定されているものであってもよい。
【００１１】
前記照明装置において、前記光反射・散乱パターンは、前記反対面における単位面積当たりの密度が、前記光入射面側よりも、前記光源と対向しない前記導光板の端面からなる光源非対向端面側の方が高くなるように設定されているものであってもよい。
【００１２】
前記照明装置において、複数の前記補色ドット部は、前記反対面の端側から中央側に向うにつれて、前記基準色と補色の関係にある色が、徐々に薄くなるように設定されてもよい。
【００１３】
前記照明装置において、複数の前記補色ドット部は、前記導光板の端部に沿うように前記反対面に設けられてもよい。
【００１４】
前記照明装置において、複数の前記補色ドット部は、前記光入射面に隣接し、前記光源と対向しない光源非対向隣接端面を含む光源非対向隣接端部に沿うように前記反対面に設けられていてもよい。
【００１５】
前記照明装置において、複数の前記補色ドット部は、複数の前記白色ドット部を取り囲むような枠状をなしているものであってもよい。
【００１６】
前記照明装置において、前記補色ドット部は、前記基準色と補色の関係にある色が全面的又は部分的に呈するように設定されてもよい。
【００１７】
前記照明装置において、前記光反射・散乱パターンを構成する前記ドット部は、着色剤を含有する塗膜を含み、前記補色ドット部は、前記着色剤として、前記一次光を吸収して前記一次光が呈する基準色と補色の関係にある色を呈する補色着色剤を含むものであってもよい。
【００１８】
前記照明装置において、前記光反射・散乱パターンを構成する前記ドット部は、前記導光板の前記反対面に形成されるドット状の凹部からなり、前記補色ドット部は、前記凹部に、前記一次光を吸収して前記一次光が呈する基準色と補色の関係にある色を呈する塗料を付与したものからなるものであってもよい。
【００１９】
前記照明装置において、前記一次光は、青色光であり、前記波長変換部材は、前記蛍光体として、前記一次光としての前記青色光により励起して、前記二次光として緑色光を放出する緑色蛍光体と、前記一次光としての前記青色光により励起して、前記二次光として赤色光を放出する赤色蛍光体とを少なくとも含有し、前記補色ドット部は、黄色を呈するものであってもよい。
【００２０】
前記照明装置において、前記波長変換部材を覆うように配される反射型偏光部材を備えるものであってもよい。
【００２１】
また、本発明に係る表示装置は、前記照明装置と、前記照明装置からの光を利用して画像を表示させる表示パネルとを備える。
【００２２】
前記表示装置において、前記表示パネルは、液晶パネルからなるものであってもよい。
【００２３】
また、本発明に係るテレビ受信装置は、前記表示装置を備える。
【発明の効果】
【００２４】
本発明によれば、蛍光体シートを光学部材として利用するエッジライト式の照明装置において、端側が中央側よりも光源の一次光の色彩で色付く出射光の色ムラを抑制する技術を提供することができる。
【図面の簡単な説明】
【００２５】
【図１】本発明の実施形態１に係るテレビ受信装置の概略構成を示す分解斜視図
【図２】図１のＡ−Ａ線断面図
【図３】表面側から見た状態のＬＥＤと導光板との配置関係を模式的に表した平面図
【図４】裏面側から見た状態のＬＥＤと導光板との配置関係を模式的に表した平面図
【図５】ＬＥＤ付近を拡大した液晶表示装置の拡大断面図
【図６】光源非対向隣接端部付近を拡大した液晶表示装置の拡大断面図
【図７】実施形態２の照明装置に利用される、裏面側から見た状態のＬＥＤと導光板との配置関係を模式的に表した平面図
【図８】変形例１の補色ドット部を示す図
【図９】変形例２の補色ドット部を示す図
【図１０】変形例３の補色ドット部を示す図
【図１１】他の実施形態に係る光反射・散乱パターンの一部を示す図
【図１２】他の実施形態に係る補色ドット部の断面図
【発明を実施するための形態】
【００２６】
＜実施形態１＞
本発明の実施形態１を、図１〜図６を参照しつつ説明する。本実施形態では、照明装置（バックライト装置）１２を備えるテレビ受信装置１０ＴＶ（液晶表示装置１０の一例）について例示する。なお、各図面には、説明の便宜上、Ｘ軸、Ｙ軸及びＺ軸が示されている。
【００２７】
先ず、テレビ受信装置１０ＴＶ及び液晶表示装置１０について説明する。図１は、本発明の実施形態１に係るテレビ受信装置１０ＴＶの概略構成を示す分解斜視図であり、図２は、図１のＡ−Ａ線断面図である。
【００２８】
テレビ受信装置１０ＴＶは、図１に示されるように、主として、液晶表示装置（表示装置の一例）１０と、その液晶表示装置１０を前後（表裏）両側から挟むようにして収容する表裏両キャビネット１０Ｃａ，１０Ｃｂと、電源１０Ｐと、テレビ信号を受信するチューナー（受信部）１０Ｔと、スタンド１０Ｓとを備えている。
【００２９】
本実施形態の液晶表示装置１０は、全体的には、左右方向に長く延びた横長の矩形状をなしている。また、液晶表示装置１０は、図２に示されるように、主として、表示パネルとして利用される液晶パネル１１と、液晶パネル１１に対して光を供給する外部光源としての照明装置（バックライト装置）１２と、液晶パネル１１及び照明装置１２等を保持する枠状のベゼル１３等を備えている。
【００３０】
液晶パネル１１は、主として、一対の透明な基板と、それらの間で挟まれる形で封止される液晶層とを備えたものからなり、照明装置１２から出射される光を利用して、パネル面上に視認可能な状態で画像を表示させる。液晶パネル１１は、全体的には、平面視で横長の矩形状をなしている。液晶パネル１１を構成する一対の基板のうち、一方の基板はアレイ基板であり、透明なガラス製の基板上に、スイッチング素子であるＴＦＴ(Thin Film Transistor)や画素電極等がマトリクス状に配設されたものからなる。また、他方の基板は、カラーフィルタ（以下、ＣＦ）基板であり、透明なガラス製の基板上に、赤色、緑色、青色の各色からなるカラーフィルタがマトリクス状に配設されたものからなる。
【００３１】
照明装置１２は、液晶パネル１１の背面側に配され、液晶パネル１１に向けて光を供給する装置である。照明装置１２は、白色光を出射するように構成されている。なお、本実施形態の照明装置１２は、所謂エッジライト型（又はサイドライト型）である。
【００３２】
照明装置１２は、図２に示されるように、シャーシ１４、光学部材１５、フレーム１６、ＬＥＤ１７、ＬＥＤ基板１８、導光板１９、反射シート２０等を備えている。
【００３３】
シャーシ１４は、全体的には、表側に開口した略箱型をなし、例えば、アルミニウム板や電気亜鉛めっき鋼板（ＳＥＣＣ）等の金属板から構成される。シャーシ１４は、液晶パネル１１等と同様、平面視略矩形状をなした底板１４ａと、その底板１４ａの周縁から立ち上がりつつ底板１４ａを取り囲む側壁板１４ｂとを備えている。
【００３４】
シャーシ１４の内側には、ＬＥＤ１７、ＬＥＤ基板１８、反射シート２０、導光板１９、光学部材１５等の各種部材が収容される。なお、シャーシ１４の外側には、図示されないコントロール基板やＬＥＤ駆動基板等の基板類が取り付けられている。
【００３５】
シャーシ１４内において、底板１４ａの表面を覆うように反射シート２０が敷かれている。反射シート（反射部材の一例）２０は、光反射性のシート状の部材であり、例えば、白色の発泡ポリエチレンテレフタレート（白色プラスチックシートの一例）等からなる。また、シャーシ１４内において、反射シート２０に載せられる形で、導光板１９が収容されている。
【００３６】
導光板１９は、屈折率が空気よりも十分に高く、透明であり、光透過性に優れる合成樹脂材料（例えば、ＰＭＭＡ等のアクリル系樹脂、ポリカーボネート樹脂等）からなる。導光板１９は、液晶パネル１１等と同様、平面視で略矩形状をなす板状部材からなり、表面１９ａが液晶パネル１１と対向し、裏面（反対面）１９ｂが反射シート２０と対向する形で、シャーシ１４内に収容されている。
【００３７】
導光板１９の表面１９ａは、液晶パネル１１側に向けて光を出射する光出射面１９ａとなっている。光出射面１９ａと液晶パネル１１との間には、光学部材１５がフレーム１６に支持された状態で配される。また、導光板１９の一方の長辺側端面１９ｃは、ＬＥＤ１７からの光が入射される光入射面１９ｃとなっている。なお、光入射面１９ｃを含む導光板１９の端部を、入射端部１９０と称する。
【００３８】
導光板１９の他方の長辺側端面１９ｄ、導光板１９の２つの短辺側端面１９ｅ，１９ｆは、ＬＥＤ１７と光源（ＬＥＤ１７）と対向していないため、それらを「光源非対向端面」と称する場合がある。また、光源非対向端面を含む導光板の端部１９１，１９２，１９３を、「光源非対向端部」と称する場合がある。
【００３９】
また、光入射面１９ｃに隣接し、ＬＥＤ（光源）１７と対向しない導光板１９の短辺側端面１９ｅ，１９ｆを「光源非対向隣接端面」と称し、その光源非対向隣接端面を含む導光板１９の端部１９２，１９３を「光源非対向隣接端部」と称する場合がある。
【００４０】
また、光入射面１９ｃの反対側にある光源非対向端面（長辺側端面１９ｄ）を、「反対側光源非対向端面」と称し、その反対側光源非対向端面を含む導光板１９の端部１９１を、「反対側光源非対向端部」と称する場合がある。
【００４１】
フレーム１６は、全体的には、導光板１９の外周端部を表側から覆うような枠状（額縁状）をなし、シャーシ１４の開口部分に表側から組み付けられる。フレーム１６は、例えば、合成樹脂からなり、光反射性を有するように白色塗装されている。フレーム１６は、平面視で枠状をなしつつその内周縁側が、シャーシ１４内に収容された状態の導光板１９の外周端部に表側から宛がわれる枠本体部１６１と、その枠本体部１６１からシャーシ１４の底板１４ａ側に向って延びつつ、シャーシ１４内に収容される立壁部１６２とを備えている。
【００４２】
枠本体部１６１は、内周縁側が導光板１９の外周端部と重なり、かつ外周縁側がシャーシ１４の側壁板１４ｂの上端部と重なるような所定の幅を持った枠状をなしている。枠本体部１６１の内周縁側の裏面には、ウレタンフォーム等からなる弾性部材２１が取り付けられている。本実施形態の弾性部材２１は、黒色であり、遮光性を備えている。弾性部材２１は、全体的には枠状（環状）をなし、導光板１９の外周端部に対して表側から当接される。
【００４３】
また、枠本体部１６１の内周縁側の表面は、外周縁側の表面よりも一段低くなるように設定されており、その低くなった部分に光学部材１５の端部が載せられる。なお、枠本体部１６１の内周縁側の表面には、図示されない突起部が設けられており、その突起部に光学部材１５の端部に設けられている孔部が嵌められることで、光学部材１５が枠本体部１６１に支持される。
【００４４】
立壁部１６２は、枠本体部１６１の外周縁側の裏面からシャーシ１４の底板１４ａに向かって延びつつ、導光板１９の端面１９ｃ等と対向するような板状をなしている。また、立壁部１６２は、全体的には、導光板１９の周りを囲むような筒状をなしている。このような立壁部１６２のうち、導光板１９の一方の長辺側端面１９ｃと対向する部分には、ＬＥＤ１７を実装したＬＥＤ基板１８が取り付けられている。なお、ＬＥＤ基板１８が取り付けられる部分以外の残りの部分は、それぞれ導光板１９の端面とシャーシ１４の側壁板１４ｂとの間に収まる形でシャーシ１４内に収容される。
【００４５】
ＬＥＤ（光源の一例）１７は、発光源であるチップ状の青色ＬＥＤ素子（青色発光素子）と、その青色ＬＥＤ素子を封止する透明な封止材と、青色ＬＥＤ素子及び封止材を収容する略箱型のケース部とを備えており、青色光を発光するように構成されている。なお、青色ＬＥＤ素子は、例えば、ＩｎＧａＮ等からなる半導体であり、順方向に電圧が印加されることで、青色光の波長領域（約４２０ｎｍ〜約５００ｎｍ）に含まれる光（つまり、青色光）を出射する。なお、本明細書において、ＬＥＤ１７から発せられる光を、一次光と称する場合がある。
【００４６】
図３は、表面側から見た状態のＬＥＤ１７と導光板１９との配置関係を模式的に表した平面図である。ＬＥＤ１７は、所謂、頂面発光型であり、長尺状をなしたＬＥＤ基板１８の板面１８ａ上に表面実装されている。ＬＥＤ１７は、ＬＥＤ基板１８上に、等間隔で一列に並ぶように複数個実装されている。ＬＥＤ１７は、ＬＥＤ基板１８に実装された状態で、発光面１７ａが導光板１９の一方の長辺側端面（光入射面）１９ｃと対向するように、フレーム１６の立壁部１６２に取り付けられた状態で、シャーシ１４内に収容されている。ＬＥＤ１７は、導光板１９の光入射面１９ｃに向けて、光（青色光）を出射する。
【００４７】
光学部材１５は、液晶パネル１１等と同様、平面視で横長の略矩形状をなしている。光学部材１５は、その外周端部が、フレーム１６の枠本体部１６１に表側から載せられる形で、導光板１９の光出射面１９ａと液晶パネル１１の背面との間に配される。光学部材１５は、所定の光学作用を付与しつつ、導光板１９から出射された光を液晶パネル１１側へ透過させる機能を備えている。光学部材１５は、互いに積層される複数枚のシート状の部材（光学シート）からなる。
【００４８】
光学部材１５を構成する具体的な部材（光学シート）としては、例えば、拡散シート、レンズシート、反射型偏光シート等が挙げられる。特に、本実施形態の光学部材１５は、必須の部材（光学シート）として、量子ドット蛍光体を含有する蛍光体シート（波長変換部材の一例）１５０を備えている。光学部材１５のうち、蛍光体シート１５０が最も光出射面１９ａ側に配されている。
【００４９】
ここで、蛍光体シート１５０について説明する。蛍光体シート１５０は、液晶パネル１１等と同様、平面視略矩形状をなしている。蛍光体シート１５０は、ＬＥＤ１７からの光の一部を厚み方向にそのまま透過させると共に、ＬＥＤ１７からの光の一部を吸収してその光を他の波長領域の光（二次光）に変換して放出する機能を備えている。このような蛍光体シート１５０は、例えば、波長変換層と、その波長変換層を挟む一対の支持層と、各支持層の外側に積層され、波長変換層及び一対の支持層を挟む一対のバリア層とを備えている。
【００５０】
波長変換層は、バインダ樹脂としてのアクリル系樹脂と、そのアクリル系樹脂中に分散した状態で配合される量子ドット蛍光体（蛍光体の一例）とを含有する。アクリル系樹脂は、透明であり、光透過性を有すると共に、支持層に対する接着性を備えている。支持層は、ポリエチレンテレフタレート（ＰＥＴ）等のポリエステル系樹脂からなるシート状（フィルム状）の部材である。
【００５１】
量子ドット蛍光体は、優れた量子効率を有する蛍光体であり、ナノサイズ（例えば、直径２ｎｍ〜１０ｎｍ程度）の半導体結晶中に、電子・正孔や励起子を三次元空間全方位で閉じ込めることで、離散的エネルギー準位を有し、そのドットのサイズを変えることで発光光のピーク波長（発光色）等を自由に選択することができる。
【００５２】
本実施形態の場合、波長変換層中には、量子ドット蛍光体として、緑色光（約５００ｎｍ〜約５７０ｎｍの波長領域）を発光する緑色量子ドット蛍光体と、赤色光（約６００ｎｍ〜約７８０ｎｍの波長領域）を発光する赤色量子ドット蛍光体とが配合される。緑色量子ドット蛍光体及び赤色量子ドット蛍光体から発せられる緑色光の発光スペクトル及び赤色光の発光スペクトルは、それぞれシャープなピークを有しており、それらの半値幅が狭くなることから、緑色光及び赤色光の各純度は、極めて高くなり、それらの色域も広くなる。
【００５３】
緑色量子ドット蛍光体は、ＬＥＤ１７からの光（青色光、一次光、励起光）を吸収して励起し、緑色光（約５００ｎｍ〜約５７０ｎｍの波長領域）を放出する。つまり、緑色量子ドット蛍光体は、ＬＥＤ１７からの光（青色光、一次光、励起光）を、波長領域の異なる他の光（緑色光、二次光）に変換する機能を備えている。
【００５４】
赤色量子ドット蛍光体は、ＬＥＤ１７からの光（青色光、一次光、励起光）を吸収して励起し、赤色光（約６００ｎｍ〜約７８０ｎｍの波長領域）を放出する。つまり、赤色量子ドット蛍光体は、ＬＥＤ１７からの光（青色光、一次光、励起光）を、波長領域の異なる他の光（赤色光、二次光）に変換する機能を備えている。
【００５５】
量子ドット蛍光体に用いられる材料としては、２価の陽イオンになり得るＺｎ、Ｃｄ、Ｐｂ等と、２価の陰イオンになり得るＯ、Ｓ、Ｓｅ、Ｔｅ等とを組み合わせた材料（例えば、セレン化カドミウム（ＣｄＣｅ）、硫化亜鉛（ＺｎＳ）等）、３価の陽イオンとなり得るＧａ、Ｉｎ等と３価の陰イオンとなり得るＰ、Ａｓ、Ｓｂ等とを組み合わせた材料（例えば、リン化インジウム（ＩｎＰ）、ヒ化ガリウム（ＧａＡｓ）等）、更にはカルコパイライト型化合物（ＣｕＩｎＳｅ２等）等が挙げられる。本実施形態では、量子ドット蛍光体の材料の一例として、ＣｄＳｅが用いられる。
【００５６】
本実施形態において、量子ドット蛍光体（緑色量子ドット蛍光体、及び赤色量子ドット蛍光体）は、波長変換層を構成するアクリル系樹脂中に、略均一となるように分散配合される。なお、波長変換層中には、散乱剤等の他の成分が含まれてもよい。
【００５７】
バリア層は、アルミナや酸化ケイ素等の金属酸化物膜からなり、波長変換層中の量子ドット蛍光体が湿気（水分）や酸素等と接触しないように保護する機能を備えている。バリア層は、支持層上に、例えば、真空蒸着法を用いて形成される。
【００５８】
図４は、裏面側から見た状態のＬＥＤ１７と導光板１９との配置関係を模式的に表した平面図である。図４に示されるように、導光板１９の裏面（反対面）１９ｂには、光反射・散乱パターン２２０が形成されている。
【００５９】
光反射・散乱パターン２２０は、導光板１９内に入射された光を、反射又は散乱させて、光出射面１９ａ側に向けて立ち上げる機能を備えている。光反射・散乱パターン２２０は、各々が光反射性及び散乱性を有する複数のドット部２２の集まりからなる。複数のドット部２２は、導光板１９の裏面（反対面）１９ｂ上において、所定のパターンをなしつつ面状に広がっている。なお、各々のドット部２２は、平面視で円形状をなしている。
【００６０】
本実施形態の複数のドット部２２は、導光板１９の各端部１９０，１９１，１９２，１９３側に設けられ、かつＬＥＤ１７からの一次光（青色光）を吸収して、一次光（青色光）が呈する基準色（青色）と補色の関係にある色（黄色）を呈する複数の補色ドット部２２ａと、補色ドット部２２ａよりも中央側に配されかつ白色を呈する複数の白色ドット部２２ｂとを備えている。
【００６１】
本実施形態のドット部２２は、ベースとなる樹脂に着色剤等を添加してなる塗料を、膜状に形成したもの（つまり、塗膜）からなる。ドット部２２は、シルク印刷、インクジェット印刷等の公知の印刷技術等を利用して、導光板１９の裏面１９ｂに適宜、形成される。前記着色剤としては、目的の色に応じた顔料、染料等が利用される。
【００６２】
なお、補色ドット部２２ａでは、着色剤として、ＬＥＤ１７からの一次光（青色光）を吸収して、一次光（青色光）が呈する基準色（青色）と補色の関係にある色（黄色）を呈する（反射する）黄色着色剤（補色着色剤の一例）が利用される。黄色着色剤としては、黄色顔料、黄色染料、黄色蛍光体等が利用される。また、白色ドット部２２ｂでは、着色剤として、白色顔料、白色染料等が利用される。
【００６３】
光反射・散乱パターン２２０は、導光板１９の裏面（反対面）１９ｂの各場所によって、形成される単位面積当たりの密度が異なるように設定されている。例えば、図４に示されるように、光反射・散乱パターン２２０は、裏面（反対面）１９ｂにおける単位面積当たりの密度が、光入射面１９ｃから反対側光源非対向端面１９ｄ側に向って遠ざかるにつれて、徐々に高くなるように設定されている。
【００６４】
図４に示されるように、裏面１９ｂのうち、光入射面１９ｃの近くにおけるドット部２２（光反射・散乱パターン２２０）の単位面積Ｓ１当たりの密度は低く設定され、また、反対側光源非対向端面１９ｄの近くにおけるドット部２２（光反射・散乱パターン２２０）の単位面積Ｓ３当たりの密度は高く設定されている。そして、裏面１９ｂのうち、光入射面１９ｃと反対側光源非対向端面１９ｄとの間にある位置におけるドット部２２（光反射・散乱パターン２２０）の単位面積Ｓ２当たりの密度は、単位面積Ｓ１当たりの密度よりも高く、かつ単位面積Ｓ３当たりの密度よりも低く設定されている。
【００６５】
また、光反射・散乱パターン２２０は、裏面（反対面）１９ｂにおける単位面積当たりの密度が、光入射面１９ｃ側よりも、ＬＥＤ（光源）１７と対向しない導光板１９の端面（光源非対向端面）１９ｄ，１９ｅ，１９ｆ側の方が高くなるように設定されている。図４に示されるように、裏面１９ｂのうち、光入射面１９ｃに隣接する一方の光源非対向端面（つまり、光源非対向隣接端面）１９ｅの近くにおけるドット部２２（光反射・散乱パターン２２０）の単位面積Ｓ４当たりの密度は、上記単位面積Ｓ１当たりの密度と比べて高く設定されている。また、裏面１９ｂのうち、光入射面１９ｃに隣接する他方の光源非対向端面（つまり、光源非対向隣接端面）１９ｆの近くにおけるドット部２２（光反射・散乱パターン２２０）の単位面積Ｓ５当たりの密度は、上記単位面積Ｓ１当たりの密度と比べて高く設定されている。
【００６６】
また、上述したように、裏面１９ｂのうち、反対側光源非対向端面１９ｄの近くにおけるドット部２２（光反射・散乱パターン２２０）の単位面積Ｓ３当たりの密度は、上記単位面積Ｓ１当たりの密度よりも高く設定されている。
【００６７】
なお、裏面１９ｂにおける単位面積当たりの光反射・散乱パターン２２０の密度（疎密）は、ドット部の大きさや個数等を適宜、設定することにより、調節できる。
【００６８】
図５は、ＬＥＤ１７付近を拡大した液晶表示装置１０の拡大断面図であり、図６は、光源非対向隣接端部１９２付近を拡大した液晶表示装置１０の拡大断面図である。なお、図６は、図３のＢ−Ｂ線に対応する部分の断面図が示されている。
【００６９】
ＬＥＤ（光源）１７の近く（つまり、光入射面１９ｃの近く）では、ＬＥＤ１７から発せられた光が多量に存在している。そのため、光入射面１９ｃの近くでは、形成されるドット部２２（光反射・散乱パターン２２０）の単位面積当たりの密度を低くしても、導光板１９内から光出射面１９ａ側に向って十分な量の光を立ち上げることができる。
【００７０】
これに対し、ＬＥＤ（光源）１７側からその反対側（反対側光源非対向端面１９ｄ側）に遠ざかるにつれて、ＬＥＤ１７より導光板１９内に供給される光の量が、光入射面１９ｃ側や裏面１９ｂの中央側と比べて、少なくなる傾向がある。また、光入射面１９ｃに隣接する各光源非対向隣接端面１９ｅ，１９ｆの近くでも、ＬＥＤ１７より導光板１９内に供給される光の量が、光入射面１９ｃ側や裏面１９ｃの中央側と比べて、少なくなる傾向がある。そのため、このような個所では、形成されるドット部２２（光反射・散乱パターン２２０）の単位面積当たりの密度を高くすることで、導光板１９内から光出射面１９ａ側に向って十分な量の光を立ち上げている。
【００７１】
なお、本実施形態の場合、導光板１９の裏面１９ｂのうち、光源非対向隣接端面１９ｅ，１９ｆの近くよりも、反対側光源非対向端面１９ｄの近くの方が、形成されるドット部２２（光反射・散乱パターン２２０）の単位面積当たりの密度が高くされている。ただし、後述するように、補色ドット部２２ａの単位面積当たりの密度については、光源非対向隣接端面１９ｅ，１９ｆの近くの方が、反対側光源非対向端面１９ｄの近くよりも高くされている。
【００７２】
図４に示されるように、光反射・散乱パターン２２０のうち、複数の補色ドット部２２ａは、複数の白色ドット部２２ｂを取り囲むような枠状をなしている。
【００７３】
また、光反射・散乱パターン２２０において、複数の補色ドット部２２ａは、導光板１９の各端部１９０，１９１，１９２，１９３に沿うように、裏面１９ｂ上に形成されている。つまり、補色ドット部２２ａは、導光板１９の各辺が延びる方向に沿う形で、裏面１９ｂ上に形成されている。
【００７４】
本実施形態の場合、各光源非対向隣接端部１９２，１９３に形成される補色ドット部２２ａの方が、反対側光源非対向端部１９１や入射端部１９０に形成される補色ドット部２２ａよりも、単位面積当たりの密度が高くなるように設定されている。また、反対側光源非対向端部１９１に形成される補色ドット部２２ａは、入射端部１９０に形成される補色ドット部２２ａよりも、単位面積当たりの密度が高くなるように設定されている。
【００７５】
導光板１９の光入射面１９ｃより入射された光（一次光、青色光）が、補色ドット部２２ａに当たると、その光の一部は黄色を呈する補色ドット部２２ａによって吸収され、残りの光は、補色ドット部２２ａによって反射又は散乱等されることになる。なお、蛍光体シート１５０により波長変換された二次光（緑色光、赤色光）が、補色ドット部２２ａに当たると、補色ドット部２２ａによって反射又は散乱等されることになる。
【００７６】
これに対し、導光板１９の光入射面１９ｃより入射された光（一次光、青色光）、又は波長変換後の二次光（緑色光、赤色光）が、白色ドット部２２ｂに当たると、その光は、白色ドット部２２ｂによって反射又は散乱等されることになる。
【００７７】
以上のような照明装置１２において、各ＬＥＤ１７に電力が供給されると、各ＬＥＤ１７が点灯して、各ＬＥＤ１７より出射された光（一次光、青色光）が、光入射面１９ｃより導光板１９内に入射する。
【００７８】
導光板１９内に入射された光は、導光板１９内で反射を繰り返しながら伝播する。導光板１９内を伝播する際に、裏面１９ｂの光反射・散乱パターン２２０（ドット部２２）に当たった光は、光出射面１９ａに向かって立ち上がり、更に光出射面１９ａから蛍光体シート１５０に供給される。
【００７９】
蛍光体シート１５０では、上述したように、一部の青色光は、そのまま青色光として透過するものの、他の一部の青色光は、波長変換されて黄色光として放出される。蛍光体シート１５０より出射した光（青色光、黄色光）は、蛍光体シート１５０に積層されている他の光学部材（光学シート）１５や、導光板１９の裏面１９ｂ側に配されている反射シート２０等に当たる等して、複数回の再帰反射を繰り返しつつ、蛍光体シート１５０を複数回通過した後、最終的に液晶パネル１１の背面に向かうように、光学部材１５から面状に広がった光（面光）として出射する。
【００８０】
図３には、光出射面１９ａ側から見た状態の導光板１９が示されている。矩形状をなす光出射面１９ａのうち、光入射面１９ｃに隣接する２つの短辺側端面（光源非対向隣接端面）１９ｅ，１９ｆ付近の各領域Ｒ１，Ｒ２より出射される光は、光出射面１９ａの中央側の領域と比べて、特に、再帰反射の回数が少なくなっている。
【００８１】
光出射面１９ａのうち、中央側の領域には、主として、列状に並んだ複数のＬＥＤ１７のうち、中央側に配される複数のＬＥＤ１７より、光が供給される。これに対し、光出射面１９ａの左右両側に存在する領域Ｒ１，Ｒ２には、列状に並んだ複数のＬＥＤ１７のうち、その端側に配されるＬＥＤ１７より供給される。
【００８２】
各ＬＥＤ１７より出射される光は、ある程度の角度で広がった配向分布を有するものの、直進性が高くなっている。そのため、導光板１９の両端側（光入射面１９ｃに隣接する光源非対向隣接端面１９ｅ，１９ｆ側）には、ＬＥＤ基板１８の中央側に配される各ＬＥＤ１７からの光が供給され難くなっている。
【００８３】
なお、図３において、光出射面１９ａの周端部に沿うように示される矩形状の領域（一点鎖線）１３０は、フレーム１６の内周縁（枠本体部１６１の内周縁、ベゼル１３の内周縁）の位置を表す。導光板１９の光出射面１９ａより出射される光のうち、実際に液晶パネル１１に供給される光（つまり、照明装置１２より出射される光）は、フレーム１６の内周縁の内側を通過する光である。そのため、照明装置１２の光出射側を平面視した際、領域１３０と領域Ｒ１とで囲まれる領域Ｒ１１と、領域１３０と領域Ｒ２とで囲まれる領域Ｒ２２とが、主として、中央側と比べて再帰反射の回数が少ない光が出射する部分となっている。
【００８４】
なお、上記領域Ｒ１，Ｒ２（領域Ｒ１１，Ｒ２２）と比べて範囲がかなり狭いものの、光出射面１９ａのうち、反対側光源非対向端面１９ｄに沿った部分と、光入射面１９ｃに沿った部分とから出射される光についても、再帰反射の回数が少なくなっている。
【００８５】
本実施形態では、このように、再帰反射の回数が少ない光が出射する部分と少なくとも平面視で重なるように、導光板１９の裏面１９ｂにおいて、光反射・散乱パターン２２０の補色ドット部２２ａが配置される。
【００８６】
導光板１９を平面視した際、各領域Ｒ１，Ｒ２内に、黄色を呈する補色ドット部２２ａが収まるように配されている。つまり、導光板１９を平面視した際、上述した各領域Ｒ１１，Ｒ２２よりも、広い各領域Ｒ１，Ｒ２と重なるように、補色ドット部２２ａが形成されている。
【００８７】
また、反対側光源非対向端面１９ｄに沿った部分と、光入射面１９ｃに沿った部分についても、それぞれ重なるように、黄色を呈する補色ドット部２２ａが導光板１９の裏面１９ｂに形成されている。
【００８８】
仮に、光反射・散乱パターン２２０をすべて白色ドット部２２ｂで構成した場合、各ＬＥＤ１７より光を供給すると、導光板１９の各領域Ｒ１１，Ｒ２２からは、青色光の存在比率が、中央側よりも高くなっている光が出射することになる。その場合、液晶パネル１１の表示面では、両端部分（領域Ｒ１１，Ｒ２２に対応する部分）が中央側よりも青味を帯びた状態となる。
【００８９】
また、上記領域Ｒ１，Ｒ２（領域Ｒ１１，Ｒ２２）と比べて範囲がかなり狭いものの、反対側光源非対向端面１９ｄに沿った部分と、光入射面１９ｃに沿った部分についても、同様に、青色光の存在比率が、中央側よりも高くなっている光が出射することになる。
【００９０】
本実施形態の照明装置１２では、上記のように、一次光（青色光）を吸収する補色ドット部２２ａと白色ドット部２２ｂとが所定の配置パターンをなした光反射・散乱パターン２２０を導光板１９の裏面１９ｂに形成することにより、補色ドット部２２ａが適宜、一次光（青色光）を吸収して、光出射面１９ａの各領域Ｒ１１，Ｒ２２（Ｒ１，Ｒ２）等における、青色と補色の関係にある黄色を呈する光（補色光）の存在比率を高くし、青色を呈する光（青色光）の存在比率を低くすることができる。
【００９１】
その結果、照明装置１２からは、中央側と同様、両端側も白味を帯びた光が出射される。つまり、照明装置１２では、面状に広がった出射光（面光）において、端側（光源非対向隣接端部１９２，１９３側等）が中央側よりもＬＥＤ１７の一次光の色彩（青色）で色付くことが抑制されている。
【００９２】
＜実施形態２＞
次いで、本発明の実施形態２を、図７等を参照しつつ説明する。本実施形態では、実施形態１の光反射・散乱パターン２２０を、光反射・散乱パターン２２０Ａに代えた照明装置について説明する。なお、本実施形態の照明装置の基本的な構成は、上記実施形態１と同様である。そのため、実施形態１と同じ構成については、実施形態１と同じ符号を付し、その詳細説明は省略する。
【００９３】
図７は、実施形態２の照明装置に利用される、裏面側から見た状態のＬＥＤ１７と導光板１９Ａとの配置関係を模式的に表した平面図である。本実施形態の導光板１９Ａは、裏面（反対面）１９ｂに形成される光反射・散乱パターン２２０Ａが、上記実施形態１の導光板１９と異なっているものの、それ以外の構成は同じである。
【００９４】
図７に示されるように、光反射・散乱パターン２２０Ａは、実施形態１と同様、黄色を呈する複数の補色ドット部２２Ａａと、白色を呈する白色ドット部２２Ａｂとを有する複数のドット部２２Ａを備えている。なお、裏面１９ｂに形成されるドット部２２Ａ自体の配置パターン（単位面積当たりの密度）は、実施形態１と同様である。
【００９５】
補色ドット部２２Ａａは、実施形態１と同様、導光板１９Ａの各端部１９０，１９１，１９２，１９３に沿うように、裏面１９ｂに枠状に並ぶ形で設けられている。そして、枠状に並んだ補色ドット部２２Ａａの内側に、複数の白色ドット部２２Ａｂが配されている。
【００９６】
ただし、本実施形態の補色ドット部２２Ａａは、裏面（反対面）１９ｂの各端側から中央側に向うにつれて、基準色（青色）と補色の関係にある色（黄色）が、徐々に薄くなるように設定されている。図７に示されるように、補色ドット部２２Ａａは、裏面１９ｂの外縁に沿うように枠状に配され、各々が比較的、濃い黄色を呈する外側補色ドット部２２Ａａ１と、外側補色ドット部２２Ａａ１よりも中央側に配され、白色ドット部２２Ａｂを取り囲むような枠状をなし、各々が比較的、薄い黄色を呈する内側補色ドット部２２Ａａ２とを備えている。
【００９７】
上述したように、仮に、光反射・散乱パターン２２０Ａをすべて白色ドット部２２Ａｂで構成した場合、導光板１９Ａの各領域Ｒ１１，Ｒ２２（実施形態１の導光板１９、図３参照）からは、青色光の存在比率が、中央側よりも高くなっている光が出射することになる。そして、導光板１９Ａの各端側に近付くにつれて、青色光の存在比率が、より高くなる傾向がある。つまり、液晶パネル１１の表示面では、両端部分（領域Ｒ１１，Ｒ２２に対応する部分）の中でも、特に最も端側がより青味を帯びた状態となる。
【００９８】
そのため、本実施形態のように、裏面（反対面）１９ｂの各端側から中央側に向うにつれて、補色ドット部２２Ａａの色（黄色）が徐々に薄くなるように設定されていると、青色光の存在比率に応じて、補色ドット部２２Ａａによる一次光（青色光）の吸収効率を、制御することができる。このような導光板１９Ａを備えた照明装置より出射される面状に広がった出射光（面光）においても、端側（光源非対向隣接端部１９２，１９３側等）が中央側よりもＬＥＤ１７の一次光の色彩（青色）で色付くことが抑制される。
【００９９】
＜他の実施形態＞
本発明は上記記述及び図面によって説明した実施形態に限定されるものではなく、例えば次のような実施形態も本発明の技術的範囲に含まれる。
【０１００】
（１）上記実施形態では、導光板の各端面のうち、長辺側の端面の１つを光入射面として設定していたが、本発明はこれに限られず、例えば、２つの長辺側の端面を光入射面としてもよいし、１つ又は２つの短辺側の端面を光入射面としてもよい。
【０１０１】
（２）上記実施形態では、光反射・散乱パターンを構成する各ドット部は、平面視円形状をなしていたが、本発明はこれに限られず、多角形状、楕円形状、不規則な形状等の他の形状であってもよい。
【０１０２】
（３）上記実施形態において、補色ドット部は、一次光が呈する基準色（青色光）と補色の関係にある色（黄色）が、全面的に呈するように設定されていたが、本発明はこれに限られず、ドット部の一部が前記基準色（青色光）と補色の関係にある色（黄色）を呈し、残りの部分が白色を呈するようにしてもよい。
【０１０３】
例えば、図８に示される変形例１の補色ドット部２２Ｂａのように、中心側に白色を呈する部分を有しつつ、その周りを取り囲む円環状の部分が前記基準色（青色光）と補色の関係にある色（黄色）を呈するように設定してもよい。また、図９に示される変形例２の補色ドット部２２Ｃａのように、２つの半円部分のうち、一方の半円部分を白色とし、他方の半円部分を前記基準色（青色光）と補色の関係にある色（黄色）としてもよい。また、図１０に示される変形例３の補色ドット部２２Ｄａのように、四等分された部分のうち、一つの部分（１／４の部分）を白色とし、残りの部分（３／４）を前記基準色（青色光）と補色の関係にある色（黄色）としてもよい。このように、補色ドット部について、部分的に前記基準色（青色光）と補色の関係にある色（黄色）を呈するようにし、単位面積当たりの補色ドット部の密度を調節してもよい。
【０１０４】
（３）上記実施形態において、光反射・散乱パターンを構成する複数のドット部のうち、白色ドット部は、すべて補色ドット部よりも導光板の中央側に配される構成となっていたが、本発明の目的を損なわない限り、隣り合った補色ドット部の間に白色ドット部が配されてもよい。図１１は、他の実施形態に係る光反射・散乱パターンの一部を示す図である。図１１に示されるように、隣り合った補色ドット部２２Ｅａの間に、白色ドット部Ｅｂが配されている。このように、ドット部２２Ｅを配置することによって、単位面積当たりの補色ドット部２２Ｅａの密度を調節してもよい。
【０１０５】
（４）上記実施形態において、光反射・散乱パターンを構成するドット部は、所定の着色剤を含む塗膜から形成されていたが、本発明の目的を損なわない限り、他の構成のものをドット部として利用してもよい。例えば、図１２に示されるドット部２２Ｆは、導光板１９Ｆの裏面（反対面）１９ｂに、所謂シボ加工により形成されるドット状の凹部２３からなる。そして、この場合の補色ドット部２２Ｆａは、凹部２３の内面に、一次光を吸収して一次光が呈する基準色と補色の関係にある色（黄色）を呈する塗料（塗膜）２４を付与したものからなる。なお、この場合の白色ドット部は、凹部２３のみから構成される。このように、ドット部２２Ｆが凹部２３から形成されるものであってもよい。
【０１０６】
（５）上記各実施形態では、一次光を出射する光源として青色の単色光を発するＬＥＤを用いた場合を示したが、光源として青色以外の色の光を発するＬＥＤを用いることも可能である。例えば、マゼンタ色の光を一次光として発するＬＥＤを用いることができる。この場合、蛍光体シート（波長変換部材）に含有させる蛍光体として緑色蛍光体を用いれば、照明装置の出射光を白色化することができる。そして、その場合、補色ドット部は、緑色を呈するように設定される。
【０１０７】
（６）上記（５）以外にも、紫色の光を一次光として発するＬＥＤを光源として用いることができる。この場合、蛍光体シート（波長変換部材）に含有させる蛍光体として黄色蛍光体及び緑色蛍光体を所定の含有比率でもって用いれば、照明装置の出射光を白色化することができる。そして、その場合、補色ドット部は、紫色と補色の関係にある色を呈するように設定される。
【０１０８】
（７）上記（５），（６）以外にも、シアン色の光を一次光として発するＬＥＤを光源として用いることができる。この場合、蛍光体シート（波長変換部材）に含有させる蛍光体として赤色蛍光体を用いれば、照明装置の出射光を白色化することができる。そして、その場合、補色ドット部は、シアン色と補色の関係にある色（赤色）を呈するように設定される。
【０１０９】
（８）光学部材を構成する部材（光学シート）の種類、積層順等は、適宜、変更可能である。
【０１１０】
（９）蛍光体シート（波長変換部材）を構成する層の種類、積層順等は、適宜、変更可能である。
【０１１１】
（１０）蛍光体シート（波長変換部材）に含まれる蛍光体として用いた量子ドット蛍光体は、コア・シェル型であってもよいし、内部組成を単一組成としたコア型量子ドット蛍光体であってもよい。
【０１１２】
（１１）上記各実施形態では、蛍光体シート（波長変換部材）に、蛍光体として、量子ドット蛍光体を含有させていたが、他の実施形態においては、他の種類の蛍光体を蛍光体シート（波長変換部材）に含有させるようにしても構わない。例えば、蛍光体シート（波長変換部材）に含有させる蛍光体として硫化物蛍光体を用いることができ、具体的には緑色蛍光体としてＳｒＧａ２Ｓ４：Ｅｕ２＋を、赤色蛍光体として（Ｃａ，Ｓｒ，Ｂａ）Ｓ：Ｅｕ２＋を、それぞれ用いることが可能である。
【０１１３】
（１２）上記（１１）以外にも、蛍光体シート（波長変換部材）に含有させる緑用蛍光体を、(Ｃａ，Ｓｒ，Ｂａ)３ＳｉＯ４：Ｅｕ２＋、β−ＳｉＡｌＯＮ：Ｅｕ２＋、Ｃａ３Ｓｃ２Ｓｉ３Ｏ１２：Ｃｅ３＋等とすることができる。また、蛍光体シート（波長変換部材）に含有させる赤色用蛍光体を、(Ｃａ，Ｓｒ，Ｂａ)２ＳｉＯ５Ｎ８：Ｅｕ２＋、ＣａＡｌＳｉＮ３：Ｅｕ２＋等とすることができる。さらには、蛍光体シート（波長変換部材）に含有させる黄色用蛍光体を、(Ｙ，Ｇｄ)３(Ａｌ，Ｇａ)５Ｏ１２：Ｃｅ３＋（通称 ＹＡＧ：Ｃｅ３＋）、α−ＳｉＡｌＯＮ：Ｅｕ２＋、(Ｃａ，Ｓｒ，Ｂａ)３ＳｉＯ４：Ｅｕ２＋等とすることができる。それ以外にも、蛍光体シート（波長変換部材）に含有させる蛍光体として、複フッ化物蛍光体（マンガン付活のケイフッ化カリウム（Ｋ２ＴｉＦ６）等）を用いることも可能である。
【０１１４】
（１３）上記（１１），（１２）以外にも、蛍光体シート（波長変換部材）に含有させる蛍光体として有機蛍光体を用いることができる。有機蛍光体としては、例えばトリアゾール又はオキサジアゾールを基本骨格とした低分子の有機蛍光体を用いることができる。
【０１１５】
（１４）上記した（１１），（１２），（１３）以外にも、蛍光体シート（波長変換部材）に含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１１６】
（１５）上記各実施形態以外にも、ＬＥＤの発光スペクトル（ピーク波長の数値、ピークの半値幅の数値等）及び蛍光体層に含まれる蛍光体の発光スペクトル（ピーク波長の数値、ピークの半値幅の数値等）に関しては、適宜に変更することが可能である。
【０１１７】
（１６）上記各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰ等を用いることも可能である。
【０１１８】
（１７）上記各実施形態では、シャーシ１４が金属製とされた場合を例示したが、シャーシを合成樹脂製とすることも可能である。
【０１１９】
（１８）上記各実施形態では、光源としてＬＥＤを用いたものを示したが、有機ＥＬなどの他の光源を用いることも可能である。
【０１２０】
（１９）上記各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１２１】
（２０）上記各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１２２】
（２１）上記各実施形態では、透過型の液晶表示装置を例示したが、それ以外にも反射型の液晶表示装置や半透過型の液晶表示装置にも本発明は適用可能である。
【０１２３】
（２２）上記各実施形態では、表示パネルとして液晶パネルを用いた液晶表示装置を例示したが、他の種類の表示パネルを用いた表示装置にも本発明は適用可能である。
【０１２４】
（２３）上記各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【０１２５】
（２４）上記各実施形態では、照明装置より出射される面光が白色となるように設定されていたが、本発明はこれに限られない。例えば、赤色、橙色等の暖色や他の色で調色された面光が出射されるように照明装置が構成されてもよい。
【符号の説明】
【０１２６】
１０…液晶表示装置（表示装置）、１２…照明装置（バックライト装置）、１３…ベゼル、１４…シャーシ、１５…光学部材、１５０…蛍光体シート（波長変換部材）、１６…フレーム、１７…ＬＥＤ（光源）、１８…ＬＥＤ基板、１９…導光板、１９ａ…光出射面、１９ｂ…裏面、１９ｃ…光入射面、２０…反射シート（反射部材）、２１…弾性部材、２２０…光反射・散乱パターン、２２…ドット部、２２ａ…補色ドット部、２２ｂ…白色ドット部
【図１】
2018174145.tif 000003
【図２】
2018174145.tif 000004
【図３】
2018174145.tif 000005
【図４】
2018174145.tif 000006
【図５】
2018174145.tif 000007
【図６】
2018174145.tif 000008
【図７】
2018174145.tif 000009
【図８】
2018174145.tif 000010
【図９】
2018174145.tif 000011
【図１０】
2018174145.tif 000012
【図１１】
2018174145.tif 000013
【図１２】
2018174145.tif 000014